(57)【要約】  【課題】巻線型トランスの多出力化を簡単な構造で実現でき、複数のランプの輝度を均一にできるようにする。  【解決手段】第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を有する巻線型トランスの二次側の高圧出力によって複数本のランプを駆動する。ランプＬ１，Ｌ４の一方を第１の二次側の高圧端子Ｓ１，Ｓ２の中の１つの端子Ｓ１に接続し、ランプの他方を第２の二次側の高圧端子Ｓ３，Ｓ４の中の１つの端子Ｓ４に接続する。ランプＬ２，Ｌ３の一方を第１の二次側の高圧端子Ｓ１，Ｓ２の中の他の１つの端子Ｓ２に接続し、ランプＬ２，Ｌ３の他方を第２の二次側の高圧端子Ｓ３，Ｓ４の中の他の１つの端子Ｓ３に接続する。コアが挿入されたボビンに一次巻線と複数の二次巻線を装着し、二次巻線を複数本の平行に並べたワイヤで構成する。【選択図】図４
2006041468.tif 000002
【特許請求の範囲】
【請求項１】
コアが挿入されたボビンに一次巻線と二次巻線を装着したトランスであって、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子としたことを特徴とする巻線型トランス。
【請求項２】
前記ボビンの高圧端子配置側は、筒状に巻かれた二次巻線の軸方向の一端側であり、前記低圧端子配置側は、二次巻線の軸方向の他端であることを特徴とする請求項１に記載の巻線型トランス。
【請求項３】
２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記ボビンの一端を高圧端子配置側とし、前記二次巻線と一次巻線の境界を低圧端子配置側としたことを特徴とする請求項１に記載の巻線型トランス。
【請求項４】
前記２本のボビンに装着された二次巻線は巻数が同数で互いに逆向きとなるように巻かれ、前記高圧端子配置側に取り付けられた第１と第２の端子が逆相となるようにしたことを特徴とする請求項３に記載の巻線型トランス。
【請求項５】
前記二次巻線を複数平行に並べたワイヤで構成し、該ワイヤの各一端にそれぞれ第１の端子を接続し、各ワイヤの他端にそれぞれ第２の端子を接続したことを特徴とする請求項１乃至請求項４のいずれか１つの請求項に記載の巻線型トランス。
【請求項６】
コアが挿入されたボビンに一次巻線と二次巻線を装着し、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子とした巻線型トランスの二次側の高圧出力によってランプを駆動する電源装置であって、前記一次巻線を交流信号出力回路に接続し、前記第２の端子を接地し、前記第１の端子をランプに接続したことを特徴とする電源装置。
【請求項７】
コアが挿入されたボビンに一次巻線と二次巻線を装着し、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子とし、前記ボビンの高圧端子配置側は、筒状に巻かれた二次巻線の軸方向の一端側であり、前記低圧端子配置側は、二次巻線の軸方向の他端である巻線型トランスの二次側の高圧出力によってランプを駆動する電源装置であって、前記一次巻線を交流信号出力回路に接続し、前記第２の端子を接地し、前記第１の端子をランプに接続したことを特徴とする電源装置。
【請求項８】
コアが挿入されたボビン２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記第２の端子をグランド端子とし、前記ボビンの一端を高圧端子配置側とし、前記二次巻線と一次巻線の境界を低圧端子配置側としたた巻線型トランスの二次側の高圧出力によってランプを駆動する電源装置であって、前記一次巻線を交流信号出力回路に接続し、前記第２の端子を接地し、前記第１の端子をランプに接続したことを特徴とする電源装置。
【請求項９】
コアが挿入されたボビン２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記第２の端子をグランド端子とし、前記ボビンの一端を高圧端子配置側とし、前記二次巻線と一次巻線の境界を低圧端子配置側とし、前記２本のボビンに装着された二次巻線は巻数が同数で互いに逆向きとなるように巻かれ、前記高圧端子配置側に取り付けられた第１と第２の端子が逆相となるようにした巻線型トランスの二次側の高圧出力によってランプを駆動する電源装置であって、前記一次巻線を交流信号出力回路に接続し、前記第２の端子を接地し、前記第１の端子をランプに接続したことを特徴とする電源装置。
【請求項１０】
前記巻線型トランスの二次巻線を複数平行に並べたワイヤで構成し、該ワイヤの各一端にそれぞれ第１の端子を接続し、各ワイヤの他端にそれぞれ第２の端子を接続したことを特徴とする請求項６乃至請求項９のいずれか１つの請求項に記載の電源装置。
【請求項１１】
前記巻線型トランス及びこれに交流信号を入力する回路をプリント基板上に取り付け、プリント基板上にランプと接続するコネクタを取り付け、前記巻線型トランスの高圧端子配置側を前記コネクタに対向配置し、前記第１の端子を前記コネクタに接続したことを特徴とする請求項６乃至請求項１０のいずれか１つの請求項に記載の電源装置。
【請求項１２】
第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記二次巻線を複数本の平行に並べたワイヤで構成したことを特徴とする電源装置。
【請求項１３】
第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたことを特徴とする電源装置。
【請求項１４】
前記巻線型トランスの第１の二次側の低圧端子Ａを分流トランス１１２の一対の巻線１１４，１１６，１２０，１２２の中の一方の巻線１１４，１２０を通じて接地し、前記巻線型トランスの第２の二次側の低圧端子Ｂを前記分流トランス１１２の一対の巻線１１４，１１６，１２０，１２２の中の他方の巻線１１６，１２２を通じて接地したことを特徴とする請求項１２又は請求項１３に記載の電源装置。
【請求項１５】
コアが挿入されたボビンに一次巻線と二次巻線を装着し、該二次巻線を複数本の平行に並べたワイヤで構成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したことを特徴とする電源装置。
【請求項１６】
第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、該二次巻線を複数本の並列状に重なる線で構成したことを特徴とする電源装置。
【請求項１７】
コアが挿入されたボビンに一次巻線と二次巻線を装着し、前記ボビンに第１の二次巻線を巻き回し、該二次巻線の上に絶縁材を介して前記第１の二次巻き線と同一巻き数の第２の二次巻き線を巻き回し、ボビン上に複数個の互いに同一巻き数の二次巻線を積層して形成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したことを特徴とする電源装置。
【請求項１８】
第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたことを特徴とする電源装置。
【請求項１９】
前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したことを特徴とする請求項１６に記載の電源装置。
【請求項２０】
前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したことを特徴とする請求項１８に記載の電源装置。
【請求項２１】
第１の二次側の複数の互いに同相の端子Ｓ１，Ｓ２と、第２の二次側の互いに同相で且つ前記第１の二次側の端子Ｓ１，Ｓ２とは逆相の端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を、前記第２の二次側の端子Ｓ３，Ｓ４の中の、前記第１のランプの一方に接続する端子Ｓ１とは逆相の１つの端子Ｓ４に接続し、１本又は互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を、前記第２の二次側の高圧端子Ｓ３，Ｓ４の中の、前記第２のランプの一方に接続する端子Ｓ２とは逆相の１つの端子Ｓ３に接続し、第１の二次側の前記端子Ｓ１，Ｓ２とは逆相の複数の端子Ｑ１，Ｑ２と、前記第２の二次側の前記端子Ｓ３，Ｓ４とは逆相の複数の端子Ｑ３，Ｑ４を接続し、前記第１と第２の二次側の全ての端子とランプとが１つの閉ループを構成する電流回路上に直列に接続されるようにしたことを特徴とする電源装置。  
【発明の詳細な説明】
【技術分野】
【０００１】
本発明は、冷陰極型蛍光ランプなどを駆動するインバータ等に用いられる巻線型トランス及び多出力に適した巻線型高圧用出力トランス及び巻線型出力トランスを用いた電源装置に関する。
【背景技術】
【０００２】
放電型ランプなどの駆動回路に用いられる巻線型トランスは、一般的に、図１９に示すように、コアＣにボビン（図示省略）を介して一次巻線Ｐと二次巻線Ｓが装着され、トランスの入力側の端子台に、一次巻線Ｐに接続する一次入力端子Ｔ１，Ｔ２、出力側の端子台に、二次巻線Ｓの両端に接続する二次出力端子Ｔ３，Ｔ４が設けられている。また、通常、冷陰極型蛍光ランプを多数本同時に点灯させようとする場合には、図１８に示すように、巻線型トランスの二次側Ｓに、バラストコンデンサＺ１，Ｚ３，Ｚ５を介して、複数本のランプＺ２，Ｚ４，Ｚ６を並列接続している。また、昇圧トランスを複数設け、昇圧トランスごとに冷陰極型蛍光ランプを接続して多数本の冷陰極型蛍光ランプを点灯させる多灯式冷陰極型蛍光ランプ点灯装置が知られている（例えば特許文献１参照）。
【特許文献１】特開２００１−３１９７９３号公報
【発明の開示】
【発明が解決しようとする課題】
【０００３】
プリント基板上に巻線型トランスを設置し、該巻線型トランスを用いて冷陰極型蛍光ランプなどの放電型ランプを駆動する場合、巻線型トランスはその二次出力端子が最短距離でプリント基板に設置されたコネクタに対向すべくプリント基板上に取り付けられ、コネクタを通じて二次出力側がランプに接続される。巻線型トランスの出力側がコネクタに対向配置されると、二次巻線の両端に接続する二次出力端子間の電位差が大きいため、両者間に十分な絶縁距離が必要となる。そのため、二次巻線の一端に接続する高圧側の二次出力端子及びこれに接続するリード線と、二次巻線の他端に接続する二次出力端子及びこれに接続するリード線との間の絶縁距離を大きくするため、プリント基板に絶縁用の溝を設け、二次出力端子間にエアーギャップを形成することなどが行われているが、二次出力端子間に放電が起こったり、両者間に漏れ電流が発生し、プリント基板上を高圧の電流が流れることがあり、必ずしも安全とは言えないという問題点があった。
また、巻線型トランスの二次側にバラストコンデンサを介して複数のランプを並列接続し、ランプを多数本同時に点灯させようとすると、各ランプの輝度にバラツキが生じてしまう。バラストコンデンサＺ１，Ｚ３，Ｚ５を同一容量のものを使用しても特性にバラツキがあり同じではない。また、ランプＺ２，Ｚ４，Ｚ６も点灯する時のインピーダンスの差、点灯後の温度変化によりインピーダンスが変化してしまう。よって、バラストコンデンサＺ１とランプＺ２のラインのインピーダンス、バラストコンデンサＺ３とランプＺ４のラインのインピーダンス、バラストコンデンサＺ５とランプＺ６のラインのインピーダンスの特性にバラツキが生じてしまう。一般的には、このような場合、複数の分流トランスやチョークを使用して各ランプを流れる電流を合わせているが、外付けの分流トランスやチョークを複数用いる必要があり、コスト高となるという問題点があった。また、多数の昇圧トランスごとにランプを接続する方式は、コスト高となり、また、昇圧トランスのスペースが大きくなり、小型化に適しないという問題点があった。
本発明は上記問題点を解決することを目的とする。
【課題を解決するための手段】
【０００４】
上記目的を達成するため本発明は、コアが挿入されたボビンに一次巻線と二次巻線を装着したトランスであって、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子としたものである。
また本発明は、前記ボビンの高圧端子配置側は、筒状に巻かれた二次巻線の軸方向の一端側であり、前記低圧端子配置側は、二次巻線の軸方向の他端であることを特徴とするものである。
また本発明は、２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記ボビンの一端を高圧端子配置側とし、前記二次巻線と一次巻線の境界を低圧端子配置側としたものである。
また本発明は、前記２本のボビンに装着された二次巻線は巻数が同数で互いに逆向きとなるように巻かれ、前記高圧端子配置側に取り付けられた第１と第２の端子が逆相となるようにしたものである。
また本発明は、前記二次巻線を複数平行に並べたワイヤで構成し、該ワイヤの各一端にそれぞれ第１の端子を接続し、各ワイヤの他端にそれぞれ第２の端子を接続したものである。
また本発明は、コアが挿入されたボビンに一次巻線と二次巻線を装着し、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子とした巻線型トランスの二次側の高圧出力によってランプを駆動する電源装置であって、前記一次巻線を交流信号出力回路に接続し、前記第２の端子を接地し、前記第１の端子をランプに接続したものである。
また本発明は、コアが挿入されたボビンに一次巻線と二次巻線を装着し、該ボビンの高圧端子配置側に端子台を設け、前記二次巻線の一端に接続する第１の端子を前記高圧端子配置側の端子台に取り付け、ボビンに装着した二次巻線の他端に接続する第２の端子を前記ボビンの高圧端子配置側に対して所定距離を存した後方の低圧端子配置側に取り付け、前記第２の端子をグランド端子とし、前記ボビンの高圧端子配置側は、筒状に巻かれた二次巻線の軸方向の一端側であり、前記低圧端子配置側は、二次巻線の軸方向の他端である巻線型トランスの二次側の高圧出力によってランプを駆動する電源装置であって、前記一次巻線を交流信号出力回路に接続し、前記第２の端子を接地し、前記第１の端子をランプに接続したものである。
また本発明は、コアが挿入されたボビン２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記第２の端子をグランド端子とし、前記ボビンの一端を高圧端子配置側とし、前記二次巻線と一次巻線の境界を低圧端子配置側としたた巻線型トランスの二次側の高圧出力によってランプを駆動する電源装置であって、前記一次巻線を交流信号出力回路に接続し、前記第２の端子を接地し、前記第１の端子をランプに接続したものである。
また本発明は、コアが挿入されたボビン２本のボビンを並列に一体的に結合し、該２本のボビンにそれぞれ一次巻線と二次巻線を直列状に装着し、前記一次巻線に接続する入力端子を前記各ボビンの他端側の端子台に取り付け、各ボビンの各二次巻線の一端に接続する第１の端子を前記各ボビンの一端に取り付けた端子台に取り付け、各ボビンの各二次巻線の他端に接続する第２の端子を、一次巻線と二次巻線の境界に設けた端子台に取り付け、前記第２の端子をグランド端子とし、前記ボビンの一端を高圧端子配置側とし、前記二次巻線と一次巻線の境界を低圧端子配置側とし、前記２本のボビンに装着された二次巻線は巻数が同数で互いに逆向きとなるように巻かれ、前記高圧端子配置側に取り付けられた第１と第２の端子が逆相となるようにした巻線型トランスの二次側の高圧出力によってランプを駆動する電源装置であって、前記一次巻線を交流信号出力回路に接続し、前記第２の端子を接地し、前記第１の端子をランプに接続したものである。
また本発明は、前記巻線型トランスの二次巻線を複数平行に並べたワイヤで構成し、該ワイヤの各一端にそれぞれ第１の端子を接続し、各ワイヤの他端にそれぞれ第２の端子を接続したものである。
また本発明は、前記巻線型トランス及びこれに交流信号を入力する回路をプリント基板上に取り付け、プリント基板上にランプと接続するコネクタを取り付け、前記巻線型トランスの高圧端子配置側を前記コネクタに対向配置し、前記第１の端子を前記コネクタに接続したものである。
また本発明は、第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記二次巻線を複数本の平行に並べたワイヤで構成したものである。
また本発明は、第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたものである。
また本発明は、前記巻線型トランスの第１の二次側の低圧端子Ａを分流トランス１１２の一対の巻線１１４，１１６，１２０，１２２の中の一方の巻線１１４，１２０を通じて接地し、前記巻線型トランスの第２の二次側の低圧端子Ｂを前記分流トランス１１２の一対の巻線１１４，１１６，１２０，１２２の中の他方の巻線１１６，１２２を通じて接地したものである。
また本発明は、コアが挿入されたボビンに一次巻線と二次巻線を装着し、該二次巻線を複数本の平行に並べたワイヤで構成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したものである。
また本発明は、第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、該二次巻線を複数本の並列状に重なる線で構成したものである。
また本発明は、コアが挿入されたボビンに一次巻線と二次巻線を装着し、前記ボビンに第１の二次巻線を巻き回し、該二次巻線の上に絶縁材を介して前記第１の二次巻き線と同一巻き数の第２の二次巻き線を巻き回し、ボビン上に複数個の互いに同一巻き数の二次巻線を積層して形成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したものである。
また本発明は、第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたものである。
また本発明は、前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したものである。
また本発明は、前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したものである。
また本発明は、第１の二次側の複数の互いに同相の端子Ｓ１，Ｓ２と、第２の二次側の互いに同相で且つ前記第１の二次側の端子Ｓ１，Ｓ２とは逆相の端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を、前記第２の二次側の端子Ｓ３，Ｓ４の中の、前記第１のランプの一方に接続する端子Ｓ１とは逆相の１つの端子Ｓ４に接続し、１本又は互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を、前記第２の二次側の高圧端子Ｓ３，Ｓ４の中の、前記第２のランプの一方に接続する端子Ｓ２とは逆相の１つの端子Ｓ３に接続し、第１の二次側の前記端子Ｓ１，Ｓ２とは逆相の複数の端子Ｑ１，Ｑ２と、前記第２の二次側の前記端子Ｓ３，Ｓ４とは逆相の複数の端子Ｑ３，Ｑ４を接続し、前記第１と第２の二次側の全ての端子とランプとが１つの閉ループを構成する電流回路上に直列に接続されるようにしたものである。
【発明の効果】
【０００５】
本発明は巻線型トランスを高圧端子配置側と低圧端子配置側に分割したので巻線型トランスを安全に駆動することができる。
また、簡単な構成で複数のランプの輝度のバラツキを防止することができる。
【発明を実施するための最良の形態】
【０００６】
以下に本発明の実施の形態を添付した図面を参照して詳細に説明する。
図１において、１８２はコアであり、２個のコ字状のコアが接合してロの字状のコアを構成している。コア１８２の平行部分の一方には、一次用ボビン１８４が嵌挿配置されている。一次用ボビン１８４の中央には、端子台１８６が固設され、該端子台１８６に一次入力端子１８８，１９０が設けられている。前記ボビン１８４には、一次巻線１９２が装着され、該一次巻線１９２の両端はリード線を介して一次入力端子１８８，１９０に接続している。
【０００７】
前記一次用ボビン１８４の外側には、端子台１８６の両側に位置して、一対の二次用ボビン１９１，１９４が嵌挿配置されている。二次用ボビン１９１，１９４の各一端のパーティション１９６が、端子台１８６の両側面に当接している。図１においては、二次用ボビン１９１，１９４のパーティション１９６は、図面の複雑化を避けるため、図示省略してある。二次用ボビン１９１，１９４には、二重にした２本の線ａ，ｂによって、二次巻線１９８，２００が巻かれている。二重線からなる二次巻線１９８，２００の巻き始め端は、リード線を介して、二次用ボビン１９１，１９４の各々の端子台２０２，２０４に設けられた二次高圧端子２０６，２０８，２１０，２１２に接続し、巻き終わり端は、リード線を介して、グランド端子２１４，２１６，２１８，２２０に接続している。
【０００８】
二次巻線１９８と２００は、図１に示すように、互いに逆向きに巻かれ、巻数は互いに同一である。前記端子２０６，２０８，２１０，２１２は、プリント基板（図示省略）上に巻線型トランスを設置したとき、プリント基板に設置された、冷陰極型蛍光ランプなどのランプに接続するコネクタ１２８と、最短距離で対面する側（高圧端子配置側）に配置されている。また、二次巻線２１４，２１６，２１８，２２０は、前記高圧端子配置側に対して所定距離を存した後方の低圧端子配置側に配置されている。上記二次端子の配置により、巻線型トランスは、ラインＧを基準として、図１中、上方側が高圧領域Ｅ、下方側が低圧領域Ｆに分割されている。前記二次端子２０６，２０８と、二次端子２１０，２１２は、互いに逆相となっており、一方がプラスのとき他方はマイナスの関係にある。勿論、二次端子２０６，２０８と、二次端子２１０，２１２は、互いに同相であっても良い。
【０００９】
上記した構成において、一次巻線１９２と二次巻線１９８，２００との関係はボビンの二層構造において、一次巻線の両側に二次巻線１９８，２００が配置されることになり、単純な構造によって多出力を構成することができる。本実施形態において、二次巻線を構成する二重の平行線には高圧がかかるが、この高圧は互いに同電位であるため、平行二次巻線間にショートや電流の漏れが生じることはない。また、コア１８２の他方の平行部分１８２ａも同様な構成とすることができ、この上下対称の構造とした場合には、一次側を直列又は並列に接続して一入力とし、８出力を実現できる。また、二次巻線の巻き線の本数を３本或いは４本等とすることにより、更に多出力が可能となる。
【００１０】
図１に示す上記実施形態の多出力型巻線トランス４４は、図３に示す自励発振回路により駆動される。並列巻きにより、多出力構造の巻線トランスを構成する場合、ボビンの二層構造に特に限定されるものではなく、通常の構造のボビンに二次巻線を並列巻きとして多出力型巻線トランスを構成することができる。
次に、図３を参照して、フルブリッジ型自励発振回路により１入力８出力型巻線トランスを駆動する電源装置について説明する。
【００１１】
図３中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ４６に流れる電流を検出する管電流検出回路８０から信号を受け取り、この信号のレベルがライン８２から与えられる設定値になるように、スイッチング素子５２，５６の導通角を制御する。
【００１２】
４４は基板（図示省略）に固設された１入力８出力型の巻線型トランスであり、２本の冷陰極型蛍光ランプ４６を直列に接続したランプ対Ｌ１，Ｌ２，Ｌ３，Ｌ４が４対用意されている。ランプ対Ｌ１，Ｌ２，Ｌ３，Ｌ４の各一端は、巻線型トランス４４の対応する一対の二次側巻線の高圧端子側にそれぞれ接続している。二次側巻線Ｓ１，Ｓ３，Ｓ５，Ｓ７の各一端は、それぞれ電流検出抵抗ＲＳを介して接地され、二次側巻線Ｓ２，Ｓ４，Ｓ６，Ｓ８はリード線を介して接地されている。各抵抗ＲＳの一端は、キャパシタＣと整流用ダイオードＤ１を介して管電流検出回路に接続している。
【００１３】
位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣＴの充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００１４】
この時、この電圧から９０度遅れた信号は０Ｖとなるので、このタイミングでスイッチング制御信号をオンオフする。ロジック回路７８はこのようにして交互にスイッチング制御信号を出力する。ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づいて、輝度ゼロから１００％まで任意の値に設定し得るように構成されている。また、ロジック回路７８には過電流検出回路８６が接続し、ランプ２０に過電流が流れたとき、ロジック回路７８は、これを検出し、過電流を阻止する信号をＰＷＭ制御回路７６に送り過電流を防止するように構成されている。
【００１５】
起動補償回路８８は、ランプ４６の通電回路のシャント抵抗ＲＳにそれぞれ接続し、各ランプ対の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６が放電を開始しない事がある。起動補償回路８８は、このような場合の起動補償のために設けられている。この場合、確実にランプ４６を点灯させるために、起動補償回路８８は、ランプ４６を流れる電流を検出してランプ４６が点灯したか否か判断し、点灯していない時は、点灯するまで起動補償信号を位相検出回路５１に送り出す。
【００１６】
位相検出回路５１はこの起動補償信号を受けてランプ４６が点灯するまで起動信号をロジック回路７８に出力する。調光制御回路８４では、調光信号入力の電圧が、内蔵の三角波発振回路の出力電圧と比較されて、所定の周期のバースト調光信号を生成する。この信号のデューティサイクルに従って、全体のロジック信号をＯＮ−ＯＦＦさせ結果的に明るさを制御している。この方法は、消灯から全点灯まで自由に調整が可能であるが、ランプ４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作を説明すると、始めて電源を入れる時や、ランプが点灯していない時、例えば、電流がＩ１の方向に流れる様にスイッチング素子５２と５８とを決められたパルス幅でＯＮにする。
【００１７】
これによりコンデンサＣＴとトランス４４の一次巻線に電流が流れ、位相検出回路５１にリード線２７を通じて信号が入り、Ｉ２，Ｉ１，Ｉ２，Ｉ１と交互に電流が流れ、自励発振回路は、検出した共振周波数で発振を開始する。起動補償回路８８は、ロジック回路７８の初期リセット（起動時）も作っている。もしランプが点灯しなかった場合は、再度リセットし、始めの起動信号を位相検出回路５１を通じてロジック回路７８に対し送出する。ランプオープン検出回路９０は、巻線型トランス４４の二次側の各シャント抵抗ＲＳに接続し、二次側の管電流を検出する。ランプ４６が切れ、管電流が流れない状態即ちランプオープンの状態のとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ４６の配線がショートした時等において、ロジック回路７８に信号を送り、制御回路を遮断する。
【００１８】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス１０の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。
【００１９】
スイッチング素子５２，５４，５６，５８のオンオフによって電流は、Ｉ１とＩ２の方向に交互に流れ、自励発振回路は、巻線型トランス１０の一次側共振周波数で自励発振する。各ランプ対Ｌ１，Ｌ２，Ｌ３，Ｌ４の各両端電極には、トランスの二次側巻線の高電圧が印加されるため、明るさにムラが生じない。本実施形態は上述の如く、巻線型トランスの一次側に入力電源電圧より高い共振電圧が得られるので、巻線型トランスの二次側の巻線数を少なくでき、二次側に巻線用のスペースの余裕ができる。このスペースの増大により、２本又はそれ以上の並列巻きが可能となり、多出力が実現できる。そのため、本発明に使用される巻線型トランスは、普通の１入力１出力型の巻線型トランスとほぼ同じ大きさで、１入力多出力型の巻線型トランスとすることが可能となる。
【００２０】
次に本発明の他の実施形態について説明する。
図４において、トランス１００は、一対の互いに平行に結合されたボビン１０２，１０４を備え、それぞれのボビン１０２，１０４の端子台Ｂ１，Ｂ２間に、二重にした２本の線ａ，ｂによって二次巻線Ｍ１，Ｍ２が互いに同一の巻数で互いに逆向きに巻かれている。前記一対のボビン１０２，１０４の穴１０６には共通のコア１０８が挿入配置されている。コア１０８は、図６に示すように、ボビン１０２，１０４にそれぞれ挿入配置されるＩ型コア１０８ｂ，１０８ｃと、これらに接続し、閉磁路を構成する結合コア１０８ａとから構成されている。
【００２１】
端子台Ｂ１の端子Ｓ１，Ｓ２，Ｓ３，Ｓ４には、二次巻線Ｍ１，Ｍ２のそれぞれの巻き始め端側（高圧側）が接続し、ボビン１０２の端子台Ｂ２の端子Ａと、ボビン１０４の端子台Ｂ２の端子Ｂには、二次巻線Ｍ１，Ｍ２のそれぞれの巻き終わり端側（低圧側）が接続している。前記ボビン１０２，１０４の端子台Ｂ２，Ｂ３間には、一次巻線１１０が巻かれている。一次巻線１１０は、ボビン１０２，１０４のそれぞれの端子台Ｂ２，Ｂ３間に巻かれ、互いに直列あるいは並列接続された構成でも、あるいはボビン１０２，１０４にまたがって巻かれた単一構成等、任意の構成を採用することができる。一次巻線１１０は、図３に示す、フルブリッジ型自励発振回路などのインバータ回路の出力側に接続される。
【００２２】
逆相の端子Ｓ１とＳ４との間には、互いに直列に接続されたＣＣＦＬ（冷陰極型蛍光ランプ）からなる２本のランプＬ１，Ｌ４が配置され、一方のランプＬ１の一方の電極は、バラストコンデンサＣ１を介して、端子Ｓ１に接続し、他方のランプＬ４の一方の電極は、バラストコンデンサＣ４を介して、端子Ｓ４に接続している。互いに逆相の端子Ｓ２とＳ３間も同様に、互いに直列に接続されたＣＣＦＬからなる２本のランプＬ２，Ｌ３が配置され、一方のランプＬ２の一方の電極は、バラストコンデンサＣ２を介して、端子Ｓ２に接続し、他方のランプＬ３の一方の電極は、バラストコンデンサＣ４を介して、端子Ｓ３に接続している。前記端子Ａは、抵抗Ｒｓを介して、接地され、端子Ｂも同様に、抵抗Ｒｓを介して接地されている。図７は、図４の回路を理解しやすいように図示したものである。トランス１００の一次側巻線１１０に自励発振回路から交流電流が供給されると、トランス１００の二次側に高電圧が発生する。端子Ｓ１，Ｓ２の高出力＋ＨＶと端子Ｓ３，Ｓ４の高出力−ＨＶは互いに逆相の関係にあり、ランプＬ１，Ｌ４及びＬ２，Ｌ３にトランスの二次側によって高圧が印加される。ランプＬ１とＬ４との接続点Ｏ１及びランプＬ２とＬ３との接続点Ｏ２はみかけ上ゼロボルトとなる。
【００２３】
トランス１００が駆動されると、一方のボビン１０２の端子Ａから、一方のボビン１０２の二次巻線Ｍ１を通り、端子Ｓ１に出力され、バラストコンデンサＣ１を通り、ランプＬ１更にランプＬ４、コンデンサＣ４、端子Ｓ４、他のボビン１０４の二次巻線Ｍ１、端子Ｂそしてグランドを通り、端子Ａに至るループができる。同様に、一方のボビン１０２の端子Ａから、一方のボビン１０２の二次巻線Ｍ２を通り、端子Ｓ２に出力され、バラストコンデンサＣ２を通り、ランプＬ２更にランプＬ３、コンデンサＣ３、端子Ｓ３、他のボビン１０４の二次巻線Ｍ２、端子Ｂそしてグランドを通り、端子Ａに至るループができる。
【００２４】
上記ループを流れる電流により、ランプＬ１，Ｌ２，Ｌ３，Ｌ４の管電流の大きさは均一となる。ボビン１０２の二次巻線Ｍ１とＭ２、及びボビン１０４の二次巻線Ｍ１とＭ２は、同一コア１０８上に巻かれているため、ボビン１０２の二次巻線Ｍ１とＭ２を流れる電流は同じになろうとして分流動作即ち電流バランス動作が働く。ボビン１０４の二次巻線Ｍ１とＭ２でも同じ分流動作が自動的に行われて、最終的には、４本のランプＬ１〜Ｌ４を流れる各電流は同じになる。図４に示すトランス１００は、プリント基板上に設置され、ランプＬ１〜Ｌ４に接続するコネクタ（図示省略）と最短距離で対面する側の端子台Ｂ１が高圧端子配置側に配置され、高圧端子配置側に対して、所定の間隔を存して、後方に、端子台Ｂ２が配置され、ラインＧを基準として、右側が高圧領域Ｅ、左側が低圧領域Ｆに分割されている。尚、上記実施形態に及び以下に説明する実施形態に示す、互いに直列に接続される一対の冷陰極型蛍光ランプは、例えば、図４中、ランプＬ１，Ｌ４、ランプＬ２，Ｌ３は、それぞれＵ型の曲がった長い１本の冷陰極型蛍光ランプとしても良い。また、本発明は、端子Ｓ１，Ｓ２に対し端子Ｓ３，Ｓ４が逆相の実施形態に特に限定されるものではなく、同相であってもよい。
【００２５】
図９は、端子Ａ，Ｂ間に分流トランス（電流バランサ）１１２を配置し、端子Ａを分流トランス１１２の一方の巻線１１４の一端に接続し、巻線１１４の他端を接地し、端子Ｂを分流トランス１１２の他方の巻線１１６の他端に接続し、該巻線１１６の一端を接地している。図９の他の構成は図８に示す回路と同一である。この構成により、ランプＬ１，Ｌ２，Ｌ３，Ｌ４の管電流をより均等にすることができる。図１０は、端子Ａ，Ｂを分流トランス１１８の各巻線１２０、１２２の一端に接続し、分流トランス１１８の各巻線１２０，１２２他端を共通として、グランドに接続している。この接続でも、図９と同様の効果が得られ、管電流の検出も、トランス１００の巻線のシャント抵抗から最終のドロップ電圧を検出することにより可能となる。上記実施形態において、二次巻線の平行巻きの線（ワイヤ）の数は２本に限定されず、ワイヤを多数本、平行巻きにしても良く、また、ランプの直列接続も２本に限定されず、３本以上を直列に接続しても良い。
【００２６】
上記実施形態では、ボビンを２個使用して、図４のよう、二次巻線Ｍ１，Ｍ２が４個、一次巻線Ｐが２個でランプ４本の構成としたが、図１１に示すように、ボビン１個を使用して、二次巻線が２個、一次巻線が１個でランプ２本の構成とすることもできる。図１１において、トランス１００の構成は、図４のトランス１００の構成と同一である。なお、トランス１０をボビン１０２，１０４ごとに独立した２個のトランスとしても良い。各トランスは、ボビン１０２，１０４ごとに一次巻線１１０が装着され、各一次巻線１１０は、直列あるいは並列に接続される。２本のランプＬ１，Ｌ２は互いに直列に接続され、一方のランプＬ１の一方の電極は、バラストコンデンサＣ１を介して端子Ｓ１に接続し、他方のランプＬ２の一方の電極はバラストコンデンサＣ２を介して、端子Ｓ２に接続している。２本のランプＬ１，Ｌ２の他方の電極は、グランドに接続されている。ランプＬ３，Ｌ４の接続も同様の構成である。
上記の構成でも、図４に示す実施形態と同様の効果が得られるが、トランス１００の二次巻線のグループごとにランプの輝度に多少のバラツキが生じる。本実施形態において、ランプＬ１とＬ２は輝度が同じになり、ランプＬ３とＬ４は輝度が同じになる。上記ランプグループごとの輝度のバラツキは、図１２に示すように、分流トランス１２０を追加することで解消できる。
【００２７】
分流トランス１２０の巻線１２２，１２４の各一端は、それぞれ、ランプＬ１，Ｌ２の共通接続点１２６と、ランプＬ３，Ｌ４の電極の共通接続点１２８に接続し、巻線１２２，１２４の各他端は、グランドに接続している。ランプＬ１，Ｌ２の電極は、それぞれ、バラストコンデンサＣ１，Ｃ２を介して、トランス１００の端子Ｓ１，Ｓ２に接続し、ランプＬ３，Ｌ４の電極は、それぞれバラストコンデンサＣ３，Ｃ４を介して、トランス１００の端子Ｓ３，Ｓ４に接続している。他の構成は、図４に示す構成と同一である。分流トランス１２０の巻線１２２，１２４は互いに逆相に巻かれ、巻線１２２，１２４を流れる電流の大きさが同一となるように動作し、このトランスの分流動作で、ランプＬ１，Ｌ２，Ｌ３，Ｌ４を流れる管電流が均一となる。
【００２８】
図１３は、トランスにおけるワイヤの平行巻きの他の実施形態を示している。コア１３０が内蔵されたボビン１３２に絶縁材１３４を介して、第１の二次巻線１３６を積層して巻き回し、この第１の二次巻線１３６の上に、絶縁材１３８を介して、第１の二次巻線１３６と同じ巻き数で、第２の二次巻線１４０を積層して巻き回し、図４の２本の巻線ａ，ｂに相当する、第１と第２の二次巻線１３６，１４０を、積層構造として構成するようにしても良い。なお、上記第１の二次巻線１３６を２本以上の線からなるバイファイラ巻きとし、同様に第２の二次巻線１４０を２本以上の線からなるバイファイラ巻きとしても良い。図１３において、第１と第２の二次巻線１３６，１４０をそれぞれ２本のワイヤ（線）により構成すれば、１入力４出力の巻線型トランスを構成することができる。
【００２９】
次に本発明の他の実施形態について説明する。
図１４において、２は巻線型トランス４４のボビン（絶縁体）であり、その角筒部には所定の間隔を存して四角形の絶縁耐圧用の板状のパーティション４，６，８，１０，１２，１４が複数固設され、ボビン（絶縁体）２上に、巻線用の凹入部を形成している。前記ボビン（絶縁体）２の軸方向の両端には該ボビン（絶縁体）２の軸方向に対して直角方向に延びる端子台１６，１８が固設され、これに端子２０，２２，２４，２６，２８，３０が固着されている。前記端子中、端子２４，３０は、ラインＧの右側の、トランス４４の高圧側に配置され、端子２０，２２，２６，２８は、ラインＧの左側の、低圧側に配置されている。
【００３０】
ボビン（絶縁体）２の一端側の端子台１６には、その一方側に二次高圧端子２４が配置され、その他方側に、一次入力端子２２と二次グランド端子２０が配置されている。一次入力端子２２とグランド端子２０は、二次高圧端子２４の高電圧の影響を受けないように、できるだけ離して、端子台１６の他方側に配置されている。ボビン（絶縁体）２の他端側の端子台１８には、その一方側に二次高圧端子３０が配置され、これからできるだけ離れた他方側に一次入力端子２８と二次グランド端子２６が配置されている。前記端子台１６，１８の前記端子２０，２２と２６，２８取付側に形成されたガイド取付溝１６ａ，１８ａ間には細長状の絶縁体から成る遮蔽体３４が架設され、該遮蔽体３４の凹部３４ｂが対応するパーティション４，６，８，１０，１２，１４の外縁に嵌合している。前記遮蔽体３４には、その長手方向に沿って、前記ボビン（絶縁体）２と対面する側とは反対側に開放された溝から成るリード線ガイド部３４ａが設けられている。
【００３１】
ボビン（絶縁体）２の中央のパーティション８，１０で囲まれた凹入部には、一端側Ａを巻始めとして、一次巻線３２が例えば右巻きで巻回されている。一次巻線３２の巻始め端側Ａのリード線３２ａは、遮蔽体３４に形成された、穴３６を通じて、遮蔽体３４のリード線ガイド部３４ａ内に配置され、該リード線ガイド部３４ａを通って、ボビン（絶縁体）２の一端側に導かれ、端子台１６に形成された案内溝を介して一次側入力端子２２に接続している。一次巻線３２の終端側Ｄのリード線３２ａは、遮蔽体３４に形成された、穴３８を通じて、遮蔽体３４のリード線ガイド部３４ａ内に配置され、該リード線ガイド部３４ａを通って、ボビン（絶縁体）２の他端側に導かれ、端子台１８に形成された案内溝を介して一次側入力端子２８に接続している。ボビン（絶縁体）２上の一次巻線３２の一方側には、ボビン（絶縁体）２の一端側Ｂを巻始めとして、第１の二次巻線３９が右巻きで、端子台１６、パーティション４間、パーティション４，６間、パーティション６，８間の各凹入部に順次巻回されている。
【００３２】
二次巻線３９の中間を複数のパーティション４，６，８によって区画したのは、二次巻線３９の絶縁耐圧を考慮したものである。第１の二次巻線３９の巻始め端側Ｂのリード線３９ａは、端子台１６に形成された溝を通って、二次高圧端子２４に導かれ、これに接続している。第１の二次巻線３９の終端側Ｃのリード線３９ｂは、穴３６を介して遮蔽体３４のリード線ガイド部３４ａ内に配置され、リード線３２ａとともに該リード線ガイド部３４ａを通って、ボビン（絶縁体）２の一端側に導かれ、端子台１６に形成された案内溝を介して二次側グランド端子２０に接続している。ボビン（絶縁体）２の中央の一次巻線３２の他方側には、パーティション１０と接する側Ｄを巻始めとして、第２の二次巻線４１が右巻きで、パーティション１０，１２間、パーティション１２，１４間、パーティション１４、端子台１８間の各凹入部に順次巻回されている。
【００３３】
一次巻線３２の左右に対称に配置された第１と第２の二次巻線３９，４１は同一の構造である。第２の二次巻線４１の終端側Ｅのリード線４１ｂは、端子台１８に形成された溝を通って、二次高圧端子３０に導かれ、これに接続している。第２の二次巻線４１の巻き始め端側Ｄのリード線４１ａは、穴３８を介して遮蔽体３４のリード線ガイド部３４ａ内に配置され、一次巻線３２のリード線３２ａとともに該リード線ガイド部３４ａを通って、ボビン（絶縁体）２の他端側に導かれ、端子台１８に形成された案内溝を介して二次側グランド端子２６に接続している。以上の巻線構造から明らかなように、パーティション８，１０間の一次側巻線３２の両端は二次巻線３９，４１の電圧の低いグランド側と接することになり、隣接する、一次巻線３５の電圧と二次巻線３９，４１の電圧との差が小さくなる。
【００３４】
そのため、一次巻線３２と二次巻線３９，４１との間の絶縁耐圧構造を簡単な構造とすることができる。一次巻線３２と、二次巻線３９，４１のグランド側は、電位差が小さいので、共通のリード線ガイド部３４ａを通して、両者を平行に配置しても絶縁耐圧に問題はない。なお、遮蔽体３４に複数のリード線ガイド部を設け、リード線を一本ずつリード線ガイド部に配置するようにしても良い。４２はコアであり、２個のＥ型コアが接合されて構成され、外縁部分がボビン（絶縁体）２の外側に配置されるとともに、該コア４２の内側部分４２ａがボビン（絶縁体）２の筒部内に配置されている。上記した巻線型トランス４４は、１入力２出力を構成し、このトランスを用いて２本の冷陰極蛍光ランプ４６，４６を明るさに明暗のムラのない状態で駆動することができる。この場合、２本のランプ４６，４６は、両端が二次巻線３９，４１の高圧側に接続されるので、ランプの両端に明るさの差が生じることがない。
【００３５】
上記した１入力２出力巻線型出力トランス４４は、高圧端子２４と３０が互いに逆相の関係にあり、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。
【００３６】
次に巻線型トランス４４の一次側に共振電圧を発生させる自励発振回路により巻線型トランス４４を駆動する実施形態を図１５を参照して説明する。自励発振回路は、図３に示す回路と同一であり、自励発振回路については、図３に示す回路を参照して説明する。
図１５中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ２０に流れる電流を検出する整流平滑回路８０から信号を受け取り、この信号のレベルがライン８２から与えられる設定値になるように、スイッチング素子５２，５６の導通角を制御する。トランス４４は、プリント基板（図示省略）に固設され、２本の冷陰極型蛍光ランプ４６，４６が直列に接続し、蛍光ランプ４６，４６の各一端は、巻線型トランス４４の二次側コイル３９，４１の高圧端子側にそれぞれ接続している。二次側巻線３９，４１の各一端は、それぞれ抵抗を介して接地されている。
【００３７】
一方の抵抗４８は、電流検出回路を構成し、リード線を介して、ランプオープン・ランプショート検出回路９０と起動補償回路８８に接続している。位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣ１の充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００３８】
この時、この電圧から９０度遅れた信号は０Ｖとなるので、このタイミングでスイッチング制御信号をオンオフする。ロジック回路７８はこのようにして交互にスイッチング制御信号を出力する。自励発振回路は、巻線型トランス１０の一次側共振周波数で自励発振する。２本の蛍光ランプ４６，４６の各両端電極には、トランスの二次側巻線の高電圧が印加されるため、明るさにムラが生じない。前記巻線型トランス４４は、図１５に示すように、基板に正しい向きで固定されると、ボビン（絶縁体）２の軸方向に対して直角方向に延びる端子台１６，１８の右側に、ボビン（絶縁体）２を挟んで、二次高圧端子２４，３０が並び、左側に、グランド端子２０，２６と、一次入力端子２２，２８とがボビン（絶縁体）２を挟んで並ぶ。そのため、巻線型トランス４４に、コネクタ１２８を介してランプ４６，４６を最短距離でシンプルに接続でき、トランス４４とランプ４６，４６間の接続配線及び自励発振回路との接続配線をきわめてシンプルな構成とすることができる。
【００３９】
しかも、図１５から明らかなように、巻線型トランスの右側に高圧端子、左側に低圧端子が配置されるので、トランスの高圧側Ｅと低圧側Ｆとの縁面距離を広くとることができ、トランスの安定的動作と小型化を図ることができる。
次に、図１６及び図１７を参照して、本発明の他の実施形態について説明する。
図１６に示す巻線型トランス１００は、図４に示すトランス１００とほぼ同一であるが、図１６に示すトランス１００の端子台Ｂ２には、ボビン１０２，１０４ごとに、２個ずつ、端子Ｑ１，Ｑ２とＱ３，Ｑ４が設けられている。図１７に示すように、端子Ｑ１，Ｑ４には、ボビン１０２，１０４側の二次巻線Ｍ１の終端がそれぞれ接続し、端子Ｑ２，Ｑ３には、ボビン１０２，１０４側の二次巻線Ｍ２の終端がそれぞれ接続している。端子Ｑ２，Ｑ４は、互いに接続し、それぞれ抵抗Ｒｓを介して接地されている。端子Ｑ１，Ｑ３も同様に互いに接続し、それぞれ抵抗を介して接地されている。上記配線により、ランプ駆動回路は、端子Ｓ１を始点と仮定すると、端子Ｓ１，ランプＬ１，ランプＬ４，端子Ｓ４，端子Ｑ４，端子Ｑ２，端子Ｓ２，ランプＬ２，ランプＬ３，端子Ｑ３，端子Ｑ１を経て、端子Ｓ１に戻る１本の閉ループ電流路が形成され、ランプＬ１〜Ｌ４には同一の電流が流れ、各ランプの輝度が均一となる。
【図面の簡単な説明】
【００４０】
【図１】本発明の巻線型トランスの一部を省略した説明図である。
【図２】同上分解外観説明図である。
【図３】本発明の電源装置のブロック回路図である。
【図４】本発明の他の実施形態を示す説明図である。
【図５】巻線型トランスのボビンの外観説明図である。
【図６】巻線型トランスのコアの説明図である。
【図７】巻線型トランスの回路図である。
【図８】本発明の他の実施形態を示すブロック図である。
【図９】本発明の他の実施形態を示すブロック図である。
【図１０】本発明の他の実施形態を示すブロック図である。
【図１１】本発明の他の実施形態を示すブロック図である。
【図１２】本発明の他の実施形態を示すブロック図である。
【図１３】巻線型トランスの他の実施形態を示す断面図である。
【図１４】本発明の巻線型トランスの他の実施形態を示す説明図である。
【図１５】本発明の他の実施形態を示す回路説明図である。
【図１６】本発明の他の実施形態を示す説明図である。
【図１７】本発明の他の実施形態を示す回路説明図である。
【図１８】従来技術の回路説明図である。
【図１９】従来技術の説明図である。
【符号の説明】
【００４１】
２      ボビン  
４      パーティション        
６      パーティション
８      パーティション
１０    パーティション
１２    パーティション
１４    パーティション
１６    端子台
１８    端子台
２０    端子
２２    端子
２４    端子
２６    端子
２８    端子
３０    端子
３２    一次巻線
３４    遮蔽体
３９    二次巻線
４１    二次巻線
４２    コア
４４    巻線型トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
１００  トランス
１０２  ボビン
１０４  ボビン
１０６  穴
１０８  コア
１１０  一次巻線
１１２  分流トランス
１１４  巻線
１１６  巻線
１１８  分流トランス
１２０  分流トランス
１２２  巻線
１２４  巻線
１２６  接続点
１２８  接続点
１３０  コア
１３２  ボビン
１３４  絶縁材
１３６  二次巻線
１３８  絶縁材
１４０  二次巻線
１８４  ボビン
１８６  端子台
１８８  入力端子
１９０  入力端子
１９２  ボビン
１９４  ボビン
１９６  パーティション
１９８  二次巻線
２００  二次巻線
２０２  端子台
２０４  端子台
２０６  高圧端子
２０８  高圧端子
２１０  高圧端子
２１２  高圧端子
２１４  グランド端子
２１６  グランド端子
２１８  グランド端子
２２０  グランド端子
【図１】
2006041468.tif 000003
【図２】
2006041468.tif 000004
【図３】
2006041468.tif 000005
【図４】
2006041468.tif 000006
【図５】
2006041468.tif 000007
【図６】
2006041468.tif 000008
【図７】
2006041468.tif 000009
【図８】
2006041468.tif 000010
【図９】
2006041468.tif 000011
【図１０】
2006041468.tif 000012
【図１１】
2006041468.tif 000013
【図１２】
2006041468.tif 000014
【図１３】
2006041468.tif 000015
【図１４】
2006041468.tif 000016
【図１５】
2006041468.tif 000017
【図１６】
2006041468.tif 000018
【図１７】
2006041468.tif 000019
【図１８】
2006041468.tif 000020
【図１９】
2006041468.tif 000021
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記二次巻線を複数本の平行に並べたワイヤで構成したことを特徴とする電源装置。
【請求項２】
第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたことを特徴とする電源装置。
【請求項３】
前記巻線型トランスの第１の二次側の低圧端子Ａを分流トランス１１２の一対の巻線１１４，１１６，１２０，１２２の中の一方の巻線１１４，１２０を通じて接地し、前記巻線型トランスの第２の二次側の低圧端子Ｂを前記分流トランス１１２の一対の巻線１１４，１１６，１２０，１２２の中の他方の巻線１１６，１２２を通じて接地したことを特徴とする請求項１又は請求項２に記載の電源装置。
【請求項４】
コアが挿入されたボビンに一次巻線と二次巻線を装着し、該二次巻線を複数本の平行に並べたワイヤで構成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したことを特徴とする電源装置。
【請求項５】
第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、該二次巻線を複数本の並列状に重なる線で構成したことを特徴とする電源装置。
【請求項６】
コアが挿入されたボビンに一次巻線と二次巻線を装着し、前記ボビンに第１の二次巻線を巻き回し、該二次巻線の上に絶縁材を介して前記第１の二次巻き線と同一巻き数の第２の二次巻き線を巻き回し、ボビン上に複数個の互いに同一巻き数の二次巻線を積層して形成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したことを特徴とする電源装置。
【請求項７】
第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたことを特徴とする電源装置。
【請求項８】
前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したことを特徴とする請求項５に記載の電源装置。
【請求項９】
前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したことを特徴とする請求項７に記載の電源装置。
【請求項１０】
第１の二次側の複数の互いに同相の端子Ｓ１，Ｓ２と、第２の二次側の互いに同相で且つ前記第１の二次側の端子Ｓ１，Ｓ２とは逆相の端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を、前記第２の二次側の端子Ｓ３，Ｓ４の中の、前記第１のランプの一方に接続する端子Ｓ１とは逆相の１つの端子Ｓ４に接続し、１本又は互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を、前記第２の二次側の高圧端子Ｓ３，Ｓ４の中の、前記第２のランプの一方に接続する端子Ｓ２とは逆相の１つの端子Ｓ３に接続し、第１の二次側の前記端子Ｓ１，Ｓ２とは逆相の複数の端子Ｑ１，Ｑ２と、前記第２の二次側の前記端子Ｓ３，Ｓ４とは逆相の複数の端子Ｑ３，Ｑ４を接続し、前記第１と第２の二次側の全ての端子とランプとが１つの閉ループを構成する電流回路上に直列に接続されるようにしたことを特徴とする電源装置。
【手続補正２】
【補正対象書類名】明細書
【補正対象項目名】全文
【補正方法】変更
【補正の内容】
【発明の詳細な説明】
【技術分野】
【０００１】
本発明は、冷陰極型蛍光ランプなどを駆動するインバータ等に用いられる電源装置に関する。
【背景技術】
【０００２】
通常、冷陰極型蛍光ランプを多数本同時に点灯させようとする場合には、図１８に示すように、巻線型トランスの二次側Ｓに、バラストコンデンサＺ１，Ｚ３，Ｚ５を介して、複数本のランプＺ２，Ｚ４，Ｚ６を並列接続している。また、昇圧トランスを複数設け、昇圧トランスごとに冷陰極型蛍光ランプを接続して多数本の冷陰極型蛍光ランプを点灯させる多灯式冷陰極型蛍光ランプ点灯装置が知られている（例えば特許文献１参照）。
【特許文献１】特開２００１−３１９７９３号公報
【発明の開示】
【発明が解決しようとする課題】
【０００３】
巻線型トランスの二次側にバラストコンデンサを介して複数のランプを並列接続し、ランプを多数本同時に点灯させようとすると、各ランプの輝度にバラツキが生じてしまう。バラストコンデンサＺ１，Ｚ３，Ｚ５を同一容量のものを使用しても特性にバラツキがあり同じではない。また、ランプＺ２，Ｚ４，Ｚ６も点灯する時のインピーダンスの差、点灯後の温度変化によりインピーダンスが変化してしまう。よって、バラストコンデンサＺ１とランプＺ２のラインのインピーダンス、バラストコンデンサＺ３とランプＺ４のラインのインピーダンス、バラストコンデンサＺ５とランプＺ６のラインのインピーダンスの特性にバラツキが生じてしまう。一般的には、このような場合、複数の分流トランスやチョークを使用して各ランプを流れる電流を合わせているが、外付けの分流トランスやチョークを複数用いる必要があり、コスト高となるという問題点があった。また、多数の昇圧トランスごとにランプを接続する方式は、コスト高となり、また、昇圧トランスのスペースが大きくなり、小型化に適しないという問題点があった。
本発明は上記問題点を解決することを目的とする。
【課題を解決するための手段】
【０００４】
上記目的を達成するため本発明は、第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記二次巻線を複数本の平行に並べたワイヤで構成したものである。
また本発明は、第１の二次側の複数の高圧端子Ｓ１，Ｓ２と、該第１の二次側の高圧端子Ｓ１，Ｓ２に対して逆相の第２の二次側の複数の高圧端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を前記第２の二次側の高圧端子Ｓ３，Ｓ４の中の１つの端子Ｓ４に接続し、１本のあるいは互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を前記第２の二次側の高圧端子Ｓ３，Ｓ４の中の他の１つの端子Ｓ３に接続し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたものである。
また本発明は、前記巻線型トランスの第１の二次側の低圧端子Ａを分流トランス１１２の一対の巻線１１４，１１６，１２０，１２２の中の一方の巻線１１４，１２０を通じて接地し、前記巻線型トランスの第２の二次側の低圧端子Ｂを前記分流トランス１１２の一対の巻線１１４，１１６，１２０，１２２の中の他方の巻線１１６，１２２を通じて接地したものである。
また本発明は、コアが挿入されたボビンに一次巻線と二次巻線を装着し、該二次巻線を複数本の平行に並べたワイヤで構成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したものである。
また本発明は、第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、該二次巻線を複数本の並列状に重なる線で構成したものである。
また本発明は、コアが挿入されたボビンに一次巻線と二次巻線を装着し、前記ボビンに第１の二次巻線を巻き回し、該二次巻線の上に絶縁材を介して前記第１の二次巻き線と同一巻き数の第２の二次巻き線を巻き回し、ボビン上に複数個の互いに同一巻き数の二次巻線を積層して形成した巻線型トランスの二次側の高圧出力によって複数本のランプを駆動する電源装置であって、一対の互いに直列に接続されたランプの一方を前記巻線型トランスの二次側の複数の高圧端子の中の１つの高圧端子Ｓ１に接続し、前記一対の互いに直列に接続されたランプの他方を前記巻線型トランスの二次側の複数の高圧端子の中の他の１つの高圧端子Ｓ２に接続し、前記一対の互いに直列に接続されたランプの接続点を接地したものである。
また本発明は、第１の二次側の複数の高圧端子Ｓ１，Ｓ２と、第２の二次側の複数の高圧端子Ｓ３，Ｓ４を少なくとも有する巻線型トランスの二次側の高圧出力によって複数本のランプを駆動する電源装置であって、互いに直列に接続された一対のランプＬ１，Ｌ２からなる第１のランプグループの一方を前記第１の二次側の高圧端子Ｓ１，Ｓ２の中の１つの端子Ｓ１に接続し、前記第１のランプグループの他方を前記第１の二次側の高圧端子Ｓ１，Ｓ２の中の他の１つの高圧端子Ｓ２に接続し、互いに直列に接続された一対のランプＬ３，Ｌ４からなる第２のランプグループの一方を前記第２の二次側の高圧端子Ｓ３，Ｓ４の中の１つの高圧端子Ｓ３に接続し、前記第２のランプグループの他方を前記第２の二次側の高圧端子Ｓ３，Ｓ４の中の他の１つの高圧端子Ｓ４に接続し、前記第１のランプグループの接続点と前記第２のランプグループの接続点とをそれぞれ接地し、前記巻線型トランスを、コアが挿入されたボビンに一次巻線と複数の二次巻線を装着し、前記ボビンに第１の二次巻線を巻き回し、該二次巻線の上に絶縁材を介して前記第１の二次巻線と同一巻き数の第２の二次巻線を巻き回し、ボビン上に複数個の二次巻線を積層した構成としたものである。
また本発明は、前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したものである。
また本発明は、前記第１のランプグループの接続点を分流トランス１２０の一対の巻線１２２，１２４の中の一方の巻線１２２を通じて接地し、前記第２のランプグループの接続点を分流トランス１２０の一対の巻線の中の他方の巻線１２４を通じて接地したものである。
また本発明は、第１の二次側の複数の互いに同相の端子Ｓ１，Ｓ２と、第２の二次側の互いに同相で且つ前記第１の二次側の端子Ｓ１，Ｓ２とは逆相の端子Ｓ３，Ｓ４を少なくとも有する巻線型トランスの二次側の高圧出力によって複数本のランプを駆動する電源装置であって、１本のあるいは互いに直列に接続された複数本のランプＬ１，Ｌ４からなる第１のランプの一方を前記第１の二次側の高圧端子Ｓ１，Ｓ２の中の１つの端子Ｓ１に接続し、前記第１のランプの他方を、前記第２の二次側の端子Ｓ３，Ｓ４の中の、前記第１のランプの一方に接続する端子Ｓ１とは逆相の１つの端子Ｓ４に接続し、１本又は互いに直列に接続された複数本のランプＬ２，Ｌ３からなる第２のランプの一方を前記第１の二次側の高圧端子Ｓ１，Ｓ２の中の他の１つの端子Ｓ２に接続し、前記第２のランプの他方を、前記第２の二次側の高圧端子Ｓ３，Ｓ４の中の、前記第２のランプの一方に接続する端子Ｓ２とは逆相の１つの端子Ｓ３に接続し、第１の二次側の前記端子Ｓ１，Ｓ２とは逆相の複数の端子Ｑ１，Ｑ２と、前記第２の二次側の前記端子Ｓ３，Ｓ４とは逆相の複数の端子Ｑ３，Ｑ４を接続し、前記第１と第２の二次側の全ての端子とランプとが１つの閉ループを構成する電流回路上に直列に接続されるようにしたものである。
【発明の効果】
【０００５】
本発明は、簡単な構成で複数のランプの輝度のバラツキを防止することができる。
【発明を実施するための最良の形態】
【０００６】
以下に本発明の実施の形態を添付した図面を参照して詳細に説明する。
図１において、１８２はコアであり、２個のコ字状のコアが接合してロの字状のコアを構成している。コア１８２の平行部分の一方には、一次用ボビン１８４が嵌挿配置されている。一次用ボビン１８４の中央には、端子台１８６が固設され、該端子台１８６に一次入力端子１８８，１９０が設けられている。前記ボビン１８４には、一次巻線１９２が装着され、該一次巻線１９２の両端はリード線を介して一次入力端子１８８，１９０に接続している。
【０００７】
前記一次用ボビン１８４の外側には、端子台１８６の両側に位置して、一対の二次用ボビン１９１，１９４が嵌挿配置されている。二次用ボビン１９１，１９４の各一端のパーティション１９６が、端子台１８６の両側面に当接している。図１においては、二次用ボビン１９１，１９４のパーティション１９６は、図面の複雑化を避けるため、図示省略してある。二次用ボビン１９１，１９４には、二重にした２本の線ａ，ｂによって、二次巻線１９８，２００が巻かれている。二重線からなる二次巻線１９８，２００の巻き始め端は、リード線を介して、二次用ボビン１９１，１９４の各々の端子台２０２，２０４に設けられた二次高圧端子２０６，２０８，２１０，２１２に接続し、巻き終わり端は、リード線を介して、グランド端子２１４，２１６，２１８，２２０に接続している。
【０００８】
二次巻線１９８と２００は、図１に示すように、互いに逆向きに巻かれ、巻数は互いに同一である。前記端子２０６，２０８，２１０，２１２は、プリント基板（図示省略）上に巻線型トランスを設置したとき、プリント基板に設置された、冷陰極型蛍光ランプなどのランプに接続するコネクタ１２８と、最短距離で対面する側（高圧端子配置側）に配置されている。また、二次巻線２１４，２１６，２１８，２２０は、前記高圧端子配置側に対して所定距離を存した後方の低圧端子配置側に配置されている。上記二次端子の配置により、巻線型トランスは、ラインＧを基準として、図１中、上方側が高圧領域Ｅ、下方側が低圧領域Ｆに分割されている。前記二次端子２０６，２０８と、二次端子２１０，２１２は、互いに逆相となっており、一方がプラスのとき他方はマイナスの関係にある。勿論、二次端子２０６，２０８と、二次端子２１０，２１２は、互いに同相であっても良い。
【０００９】
上記した構成において、一次巻線１９２と二次巻線１９８，２００との関係はボビンの二層構造において、一次巻線の両側に二次巻線１９８，２００が配置されることになり、単純な構造によって多出力を構成することができる。本実施形態において、二次巻線を構成する二重の平行線には高圧がかかるが、この高圧は互いに同電位であるため、平行二次巻線間にショートや電流の漏れが生じることはない。また、コア１８２の他方の平行部分１８２ａも同様な構成とすることができ、この上下対称の構造とした場合には、一次側を直列又は並列に接続して一入力とし、８出力を実現できる。また、二次巻線の巻き線の本数を３本或いは４本等とすることにより、更に多出力が可能となる。
【００１０】
図１に示す上記実施形態の多出力型巻線トランス４４は、図３に示す自励発振回路により駆動される。並列巻きにより、多出力構造の巻線トランスを構成する場合、ボビンの二層構造に特に限定されるものではなく、通常の構造のボビンに二次巻線を並列巻きとして多出力型巻線トランスを構成することができる。
次に、図３を参照して、フルブリッジ型自励発振回路により１入力８出力型巻線トランスを駆動する電源装置について説明する。
【００１１】
図３中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ４６に流れる電流を検出する管電流検出回路８０から信号を受け取り、この信号のレベルがライン８２から与えられる設定値になるように、スイッチング素子５２，５６の導通角を制御する。
【００１２】
４４は基板（図示省略）に固設された１入力８出力型の巻線型トランスであり、２本の冷陰極型蛍光ランプ４６を直列に接続したランプ対Ｌ１，Ｌ２，Ｌ３，Ｌ４が４対用意されている。ランプ対Ｌ１，Ｌ２，Ｌ３，Ｌ４の各一端は、巻線型トランス４４の対応する一対の二次側巻線の高圧端子側にそれぞれ接続している。二次側巻線Ｓ１，Ｓ３，Ｓ５，Ｓ７の各一端は、それぞれ電流検出抵抗ＲＳを介して接地され、二次側巻線Ｓ２，Ｓ４，Ｓ６，Ｓ８はリード線を介して接地されている。各抵抗ＲＳの一端は、キャパシタＣと整流用ダイオードＤ１を介して管電流検出回路に接続している。
【００１３】
位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣＴの充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００１４】
この時、この電圧から９０度遅れた信号は０Ｖとなるので、このタイミングでスイッチング制御信号をオンオフする。ロジック回路７８はこのようにして交互にスイッチング制御信号を出力する。ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づいて、輝度ゼロから１００％まで任意の値に設定し得るように構成されている。また、ロジック回路７８には過電流検出回路８６が接続し、ランプ２０に過電流が流れたとき、ロジック回路７８は、これを検出し、過電流を阻止する信号をＰＷＭ制御回路７６に送り過電流を防止するように構成されている。
【００１５】
起動補償回路８８は、ランプ４６の通電回路のシャント抵抗ＲＳにそれぞれ接続し、各ランプ対の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６が放電を開始しない事がある。起動補償回路８８は、このような場合の起動補償のために設けられている。この場合、確実にランプ４６を点灯させるために、起動補償回路８８は、ランプ４６を流れる電流を検出してランプ４６が点灯したか否か判断し、点灯していない時は、点灯するまで起動補償信号を位相検出回路５１に送り出す。
【００１６】
位相検出回路５１はこの起動補償信号を受けてランプ４６が点灯するまで起動信号をロジック回路７８に出力する。調光制御回路８４では、調光信号入力の電圧が、内蔵の三角波発振回路の出力電圧と比較されて、所定の周期のバースト調光信号を生成する。この信号のデューティサイクルに従って、全体のロジック信号をＯＮ−ＯＦＦさせ結果的に明るさを制御している。この方法は、消灯から全点灯まで自由に調整が可能であるが、ランプ４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作を説明すると、始めて電源を入れる時や、ランプが点灯していない時、例えば、電流がＩ１の方向に流れる様にスイッチング素子５２と５８とを決められたパルス幅でＯＮにする。
【００１７】
これによりコンデンサＣＴとトランス４４の一次巻線に電流が流れ、位相検出回路５１にリード線２７を通じて信号が入り、Ｉ２，Ｉ１，Ｉ２，Ｉ１と交互に電流が流れ、自励発振回路は、検出した共振周波数で発振を開始する。起動補償回路８８は、ロジック回路７８の初期リセット（起動時）も作っている。もしランプが点灯しなかった場合は、再度リセットし、始めの起動信号を位相検出回路５１を通じてロジック回路７８に対し送出する。ランプオープン検出回路９０は、巻線型トランス４４の二次側の各シャント抵抗ＲＳに接続し、二次側の管電流を検出する。ランプ４６が切れ、管電流が流れない状態即ちランプオープンの状態のとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ４６の配線がショートした時等において、ロジック回路７８に信号を送り、制御回路を遮断する。
【００１８】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス１０の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。
【００１９】
スイッチング素子５２，５４，５６，５８のオンオフによって電流は、Ｉ１とＩ２の方向に交互に流れ、自励発振回路は、巻線型トランス１０の一次側共振周波数で自励発振する。各ランプ対Ｌ１，Ｌ２，Ｌ３，Ｌ４の各両端電極には、トランスの二次側巻線の高電圧が印加されるため、明るさにムラが生じない。本実施形態は上述の如く、巻線型トランスの一次側に入力電源電圧より高い共振電圧が得られるので、巻線型トランスの二次側の巻線数を少なくでき、二次側に巻線用のスペースの余裕ができる。このスペースの増大により、２本又はそれ以上の並列巻きが可能となり、多出力が実現できる。そのため、本発明に使用される巻線型トランスは、普通の１入力１出力型の巻線型トランスとほぼ同じ大きさで、１入力多出力型の巻線型トランスとすることが可能となる。
【００２０】
次に本発明の他の実施形態について説明する。
図４において、トランス１００は、一対の互いに平行に結合されたボビン１０２，１０４を備え、それぞれのボビン１０２，１０４の端子台Ｂ１，Ｂ２間に、二重にした２本の線ａ，ｂによって二次巻線Ｍ１，Ｍ２が互いに同一の巻数で互いに逆向きに巻かれている。前記一対のボビン１０２，１０４の穴１０６には共通のコア１０８が挿入配置されている。コア１０８は、図６に示すように、ボビン１０２，１０４にそれぞれ挿入配置されるＩ型コア１０８ｂ，１０８ｃと、これらに接続し、閉磁路を構成する結合コア１０８ａとから構成されている。
【００２１】
端子台Ｂ１の端子Ｓ１，Ｓ２，Ｓ３，Ｓ４には、二次巻線Ｍ１，Ｍ２のそれぞれの巻き始め端側（高圧側）が接続し、ボビン１０２の端子台Ｂ２の端子Ａと、ボビン１０４の端子台Ｂ２の端子Ｂには、二次巻線Ｍ１，Ｍ２のそれぞれの巻き終わり端側（低圧側）が接続している。前記ボビン１０２，１０４の端子台Ｂ２，Ｂ３間には、一次巻線１１０が巻かれている。一次巻線１１０は、ボビン１０２，１０４のそれぞれの端子台Ｂ２，Ｂ３間に巻かれ、互いに直列あるいは並列接続された構成でも、あるいはボビン１０２，１０４にまたがって巻かれた単一構成等、任意の構成を採用することができる。一次巻線１１０は、図３に示す、フルブリッジ型自励発振回路などのインバータ回路の出力側に接続される。
【００２２】
逆相の端子Ｓ１とＳ４との間には、互いに直列に接続されたＣＣＦＬ（冷陰極型蛍光ランプ）からなる２本のランプＬ１，Ｌ４が配置され、一方のランプＬ１の一方の電極は、バラストコンデンサＣ１を介して、端子Ｓ１に接続し、他方のランプＬ４の一方の電極は、バラストコンデンサＣ４を介して、端子Ｓ４に接続している。互いに逆相の端子Ｓ２とＳ３間も同様に、互いに直列に接続されたＣＣＦＬからなる２本のランプＬ２，Ｌ３が配置され、一方のランプＬ２の一方の電極は、バラストコンデンサＣ２を介して、端子Ｓ２に接続し、他方のランプＬ３の一方の電極は、バラストコンデンサＣ４を介して、端子Ｓ３に接続している。前記端子Ａは、抵抗Ｒｓを介して、接地され、端子Ｂも同様に、抵抗Ｒｓを介して接地されている。図７は、図４の回路を理解しやすいように図示したものである。トランス１００の一次側巻線１１０に自励発振回路から交流電流が供給されると、トランス１００の二次側に高電圧が発生する。端子Ｓ１，Ｓ２の高出力＋ＨＶと端子Ｓ３，Ｓ４の高出力−ＨＶは互いに逆相の関係にあり、ランプＬ１，Ｌ４及びＬ２，Ｌ３にトランスの二次側によって高圧が印加される。ランプＬ１とＬ４との接続点Ｏ１及びランプＬ２とＬ３との接続点Ｏ２はみかけ上ゼロボルトとなる。
【００２３】
トランス１００が駆動されると、一方のボビン１０２の端子Ａから、一方のボビン１０２の二次巻線Ｍ１を通り、端子Ｓ１に出力され、バラストコンデンサＣ１を通り、ランプＬ１更にランプＬ４、コンデンサＣ４、端子Ｓ４、他のボビン１０４の二次巻線Ｍ１、端子Ｂそしてグランドを通り、端子Ａに至るループができる。同様に、一方のボビン１０２の端子Ａから、一方のボビン１０２の二次巻線Ｍ２を通り、端子Ｓ２に出力され、バラストコンデンサＣ２を通り、ランプＬ２更にランプＬ３、コンデンサＣ３、端子Ｓ３、他のボビン１０４の二次巻線Ｍ２、端子Ｂそしてグランドを通り、端子Ａに至るループができる。
【００２４】
上記ループを流れる電流により、ランプＬ１，Ｌ２，Ｌ３，Ｌ４の管電流の大きさは均一となる。ボビン１０２の二次巻線Ｍ１とＭ２、及びボビン１０４の二次巻線Ｍ１とＭ２は、同一コア１０８上に巻かれているため、ボビン１０２の二次巻線Ｍ１とＭ２を流れる電流は同じになろうとして分流動作即ち電流バランス動作が働く。ボビン１０４の二次巻線Ｍ１とＭ２でも同じ分流動作が自動的に行われて、最終的には、４本のランプＬ１〜Ｌ４を流れる各電流は同じになる。図４に示すトランス１００は、プリント基板上に設置され、ランプＬ１〜Ｌ４に接続するコネクタ（図示省略）と最短距離で対面する側の端子台Ｂ１が高圧端子配置側に配置され、高圧端子配置側に対して、所定の間隔を存して、後方に、端子台Ｂ２が配置され、ラインＧを基準として、右側が高圧領域Ｅ、左側が低圧領域Ｆに分割されている。尚、上記実施形態に及び以下に説明する実施形態に示す、互いに直列に接続される一対の冷陰極型蛍光ランプは、例えば、図４中、ランプＬ１，Ｌ４、ランプＬ２，Ｌ３は、それぞれＵ型の曲がった長い１本の冷陰極型蛍光ランプとしても良い。また、本発明は、端子Ｓ１，Ｓ２に対し端子Ｓ３，Ｓ４が逆相の実施形態に特に限定されるものではなく、同相であってもよい。
【００２５】
図９は、端子Ａ，Ｂ間に分流トランス（電流バランサ）１１２を配置し、端子Ａを分流トランス１１２の一方の巻線１１４の一端に接続し、巻線１１４の他端を接地し、端子Ｂを分流トランス１１２の他方の巻線１１６の他端に接続し、該巻線１１６の一端を接地している。図９の他の構成は図８に示す回路と同一である。この構成により、ランプＬ１，Ｌ２，Ｌ３，Ｌ４の管電流をより均等にすることができる。図１０は、端子Ａ，Ｂを分流トランス１１８の各巻線１２０、１２２の一端に接続し、分流トランス１１８の各巻線１２０，１２２他端を共通として、グランドに接続している。この接続でも、図９と同様の効果が得られ、管電流の検出も、トランス１００の巻線のシャント抵抗から最終のドロップ電圧を検出することにより可能となる。上記実施形態において、二次巻線の平行巻きの線（ワイヤ）の数は２本に限定されず、ワイヤを多数本、平行巻きにしても良く、また、ランプの直列接続も２本に限定されず、３本以上を直列に接続しても良い。
【００２６】
上記実施形態では、ボビンを２個使用して、図４のよう、二次巻線Ｍ１，Ｍ２が４個、一次巻線Ｐが２個でランプ４本の構成としたが、図１１に示すように、ボビン１個を使用して、二次巻線が２個、一次巻線が１個でランプ２本の構成とすることもできる。図１１において、トランス１００の構成は、図４のトランス１００の構成と同一である。なお、トランス１０をボビン１０２，１０４ごとに独立した２個のトランスとしても良い。各トランスは、ボビン１０２，１０４ごとに一次巻線１１０が装着され、各一次巻線１１０は、直列あるいは並列に接続される。２本のランプＬ１，Ｌ２は互いに直列に接続され、一方のランプＬ１の一方の電極は、バラストコンデンサＣ１を介して端子Ｓ１に接続し、他方のランプＬ２の一方の電極はバラストコンデンサＣ２を介して、端子Ｓ２に接続している。２本のランプＬ１，Ｌ２の他方の電極は、グランドに接続されている。ランプＬ３，Ｌ４の接続も同様の構成である。
上記の構成でも、図４に示す実施形態と同様の効果が得られるが、トランス１００の二次巻線のグループごとにランプの輝度に多少のバラツキが生じる。本実施形態において、ランプＬ１とＬ２は輝度が同じになり、ランプＬ３とＬ４は輝度が同じになる。上記ランプグループごとの輝度のバラツキは、図１２に示すように、分流トランス１２０を追加することで解消できる。
【００２７】
分流トランス１２０の巻線１２２，１２４の各一端は、それぞれ、ランプＬ１，Ｌ２の共通接続点１２６と、ランプＬ３，Ｌ４の電極の共通接続点１２８に接続し、巻線１２２，１２４の各他端は、グランドに接続している。ランプＬ１，Ｌ２の電極は、それぞれ、バラストコンデンサＣ１，Ｃ２を介して、トランス１００の端子Ｓ１，Ｓ２に接続し、ランプＬ３，Ｌ４の電極は、それぞれバラストコンデンサＣ３，Ｃ４を介して、トランス１００の端子Ｓ３，Ｓ４に接続している。他の構成は、図４に示す構成と同一である。分流トランス１２０の巻線１２２，１２４は互いに逆相に巻かれ、巻線１２２，１２４を流れる電流の大きさが同一となるように動作し、このトランスの分流動作で、ランプＬ１，Ｌ２，Ｌ３，Ｌ４を流れる管電流が均一となる。
【００２８】
図１３は、トランスにおけるワイヤの平行巻きの他の実施形態を示している。コア１３０が内蔵されたボビン１３２に絶縁材１３４を介して、第１の二次巻線１３６を積層して巻き回し、この第１の二次巻線１３６の上に、絶縁材１３８を介して、第１の二次巻線１３６と同じ巻き数で、第２の二次巻線１４０を積層して巻き回し、図４の２本の巻線ａ，ｂに相当する、第１と第２の二次巻線１３６，１４０を、積層構造として構成するようにしても良い。なお、上記第１の二次巻線１３６を２本以上の線からなるバイファイラ巻きとし、同様に第２の二次巻線１４０を２本以上の線からなるバイファイラ巻きとしても良い。図１３において、第１と第２の二次巻線１３６，１４０をそれぞれ２本のワイヤ（線）により構成すれば、１入力４出力の巻線型トランスを構成することができる。
【００２９】
次に本発明の他の実施形態について説明する。
図１４において、２は巻線型トランス４４のボビン（絶縁体）であり、その角筒部には所定の間隔を存して四角形の絶縁耐圧用の板状のパーティション４，６，８，１０，１２，１４が複数固設され、ボビン（絶縁体）２上に、巻線用の凹入部を形成している。前記ボビン（絶縁体）２の軸方向の両端には該ボビン（絶縁体）２の軸方向に対して直角方向に延びる端子台１６，１８が固設され、これに端子２０，２２，２４，２６，２８，３０が固着されている。前記端子中、端子２４，３０は、ラインＧの右側の、トランス４４の高圧側に配置され、端子２０，２２，２６，２８は、ラインＧの左側の、低圧側に配置されている。
【００３０】
ボビン（絶縁体）２の一端側の端子台１６には、その一方側に二次高圧端子２４が配置され、その他方側に、一次入力端子２２と二次グランド端子２０が配置されている。一次入力端子２２とグランド端子２０は、二次高圧端子２４の高電圧の影響を受けないように、できるだけ離して、端子台１６の他方側に配置されている。ボビン（絶縁体）２の他端側の端子台１８には、その一方側に二次高圧端子３０が配置され、これからできるだけ離れた他方側に一次入力端子２８と二次グランド端子２６が配置されている。前記端子台１６，１８の前記端子２０，２２と２６，２８取付側に形成されたガイド取付溝１６ａ，１８ａ間には細長状の絶縁体から成る遮蔽体３４が架設され、該遮蔽体３４の凹部３４ｂが対応するパーティション４，６，８，１０，１２，１４の外縁に嵌合している。前記遮蔽体３４には、その長手方向に沿って、前記ボビン（絶縁体）２と対面する側とは反対側に開放された溝から成るリード線ガイド部３４ａが設けられている。
【００３１】
ボビン（絶縁体）２の中央のパーティション８，１０で囲まれた凹入部には、一端側Ａを巻始めとして、一次巻線３２が例えば右巻きで巻回されている。一次巻線３２の巻始め端側Ａのリード線３２ａは、遮蔽体３４に形成された、穴３６を通じて、遮蔽体３４のリード線ガイド部３４ａ内に配置され、該リード線ガイド部３４ａを通って、ボビン（絶縁体）２の一端側に導かれ、端子台１６に形成された案内溝を介して一次側入力端子２２に接続している。一次巻線３２の終端側Ｄのリード線３２ａは、遮蔽体３４に形成された、穴３８を通じて、遮蔽体３４のリード線ガイド部３４ａ内に配置され、該リード線ガイド部３４ａを通って、ボビン（絶縁体）２の他端側に導かれ、端子台１８に形成された案内溝を介して一次側入力端子２８に接続している。ボビン（絶縁体）２上の一次巻線３２の一方側には、ボビン（絶縁体）２の一端側Ｂを巻始めとして、第１の二次巻線３９が右巻きで、端子台１６、パーティション４間、パーティション４，６間、パーティション６，８間の各凹入部に順次巻回されている。
【００３２】
二次巻線３９の中間を複数のパーティション４，６，８によって区画したのは、二次巻線３９の絶縁耐圧を考慮したものである。第１の二次巻線３９の巻始め端側Ｂのリード線３９ａは、端子台１６に形成された溝を通って、二次高圧端子２４に導かれ、これに接続している。第１の二次巻線３９の終端側Ｃのリード線３９ｂは、穴３６を介して遮蔽体３４のリード線ガイド部３４ａ内に配置され、リード線３２ａとともに該リード線ガイド部３４ａを通って、ボビン（絶縁体）２の一端側に導かれ、端子台１６に形成された案内溝を介して二次側グランド端子２０に接続している。ボビン（絶縁体）２の中央の一次巻線３２の他方側には、パーティション１０と接する側Ｄを巻始めとして、第２の二次巻線４１が右巻きで、パーティション１０，１２間、パーティション１２，１４間、パーティション１４、端子台１８間の各凹入部に順次巻回されている。
【００３３】
一次巻線３２の左右に対称に配置された第１と第２の二次巻線３９，４１は同一の構造である。第２の二次巻線４１の終端側Ｅのリード線４１ｂは、端子台１８に形成された溝を通って、二次高圧端子３０に導かれ、これに接続している。第２の二次巻線４１の巻き始め端側Ｄのリード線４１ａは、穴３８を介して遮蔽体３４のリード線ガイド部３４ａ内に配置され、一次巻線３２のリード線３２ａとともに該リード線ガイド部３４ａを通って、ボビン（絶縁体）２の他端側に導かれ、端子台１８に形成された案内溝を介して二次側グランド端子２６に接続している。以上の巻線構造から明らかなように、パーティション８，１０間の一次側巻線３２の両端は二次巻線３９，４１の電圧の低いグランド側と接することになり、隣接する、一次巻線３５の電圧と二次巻線３９，４１の電圧との差が小さくなる。
【００３４】
そのため、一次巻線３２と二次巻線３９，４１との間の絶縁耐圧構造を簡単な構造とすることができる。一次巻線３２と、二次巻線３９，４１のグランド側は、電位差が小さいので、共通のリード線ガイド部３４ａを通して、両者を平行に配置しても絶縁耐圧に問題はない。なお、遮蔽体３４に複数のリード線ガイド部を設け、リード線を一本ずつリード線ガイド部に配置するようにしても良い。４２はコアであり、２個のＥ型コアが接合されて構成され、外縁部分がボビン（絶縁体）２の外側に配置されるとともに、該コア４２の内側部分４２ａがボビン（絶縁体）２の筒部内に配置されている。上記した巻線型トランス４４は、１入力２出力を構成し、このトランスを用いて２本の冷陰極蛍光ランプ４６，４６を明るさに明暗のムラのない状態で駆動することができる。この場合、２本のランプ４６，４６は、両端が二次巻線３９，４１の高圧側に接続されるので、ランプの両端に明るさの差が生じることがない。
【００３５】
上記した１入力２出力巻線型出力トランス４４は、高圧端子２４と３０が互いに逆相の関係にあり、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。
【００３６】
次に巻線型トランス４４の一次側に共振電圧を発生させる自励発振回路により巻線型トランス４４を駆動する実施形態を図１５を参照して説明する。自励発振回路は、図３に示す回路と同一であり、自励発振回路については、図３に示す回路を参照して説明する。
図１５中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ２０に流れる電流を検出する整流平滑回路８０から信号を受け取り、この信号のレベルがライン８２から与えられる設定値になるように、スイッチング素子５２，５６の導通角を制御する。トランス４４は、プリント基板（図示省略）に固設され、２本の冷陰極型蛍光ランプ４６，４６が直列に接続し、蛍光ランプ４６，４６の各一端は、巻線型トランス４４の二次側コイル３９，４１の高圧端子側にそれぞれ接続している。二次側巻線３９，４１の各一端は、それぞれ抵抗を介して接地されている。
【００３７】
一方の抵抗４８は、電流検出回路を構成し、リード線を介して、ランプオープン・ランプショート検出回路９０と起動補償回路８８に接続している。位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣ１の充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００３８】
この時、この電圧から９０度遅れた信号は０Ｖとなるので、このタイミングでスイッチング制御信号をオンオフする。ロジック回路７８はこのようにして交互にスイッチング制御信号を出力する。自励発振回路は、巻線型トランス１０の一次側共振周波数で自励発振する。２本の蛍光ランプ４６，４６の各両端電極には、トランスの二次側巻線の高電圧が印加されるため、明るさにムラが生じない。前記巻線型トランス４４は、図１５に示すように、基板に正しい向きで固定されると、ボビン（絶縁体）２の軸方向に対して直角方向に延びる端子台１６，１８の右側に、ボビン（絶縁体）２を挟んで、二次高圧端子２４，３０が並び、左側に、グランド端子２０，２６と、一次入力端子２２，２８とがボビン（絶縁体）２を挟んで並ぶ。そのため、巻線型トランス４４に、コネクタ１２８を介してランプ４６，４６を最短距離でシンプルに接続でき、トランス４４とランプ４６，４６間の接続配線及び自励発振回路との接続配線をきわめてシンプルな構成とすることができる。
【００３９】
しかも、図１５から明らかなように、巻線型トランスの右側に高圧端子、左側に低圧端子が配置されるので、トランスの高圧側Ｅと低圧側Ｆとの縁面距離を広くとることができ、トランスの安定的動作と小型化を図ることができる。
次に、図１６及び図１７を参照して、本発明の他の実施形態について説明する。
図１６に示す巻線型トランス１００は、図４に示すトランス１００とほぼ同一であるが、図１６に示すトランス１００の端子台Ｂ２には、ボビン１０２，１０４ごとに、２個ずつ、端子Ｑ１，Ｑ２とＱ３，Ｑ４が設けられている。図１７に示すように、端子Ｑ１，Ｑ４には、ボビン１０２，１０４側の二次巻線Ｍ１の終端がそれぞれ接続し、端子Ｑ２，Ｑ３には、ボビン１０２，１０４側の二次巻線Ｍ２の終端がそれぞれ接続している。端子Ｑ２，Ｑ４は、互いに接続し、それぞれ抵抗Ｒｓを介して接地されている。端子Ｑ１，Ｑ３も同様に互いに接続し、それぞれ抵抗を介して接地されている。上記配線により、ランプ駆動回路は、端子Ｓ１を始点と仮定すると、端子Ｓ１，ランプＬ１，ランプＬ４，端子Ｓ４，端子Ｑ４，端子Ｑ２，端子Ｓ２，ランプＬ２，ランプＬ３，端子Ｑ３，端子Ｑ１を経て、端子Ｓ１に戻る１本の閉ループ電流路が形成され、ランプＬ１〜Ｌ４には同一の電流が流れ、各ランプの輝度が均一となる。
【図面の簡単な説明】
【００４０】
【図１】本発明の巻線型トランスの一部を省略した説明図である。
【図２】同上分解外観説明図である。
【図３】本発明の電源装置のブロック回路図である。
【図４】本発明の他の実施形態を示す説明図である。
【図５】巻線型トランスのボビンの外観説明図である。
【図６】巻線型トランスのコアの説明図である。
【図７】巻線型トランスの回路図である。
【図８】本発明の他の実施形態を示すブロック図である。
【図９】本発明の他の実施形態を示すブロック図である。
【図１０】本発明の他の実施形態を示すブロック図である。
【図１１】本発明の他の実施形態を示すブロック図である。
【図１２】本発明の他の実施形態を示すブロック図である。
【図１３】巻線型トランスの他の実施形態を示す断面図である。
【図１４】本発明の巻線型トランスの他の実施形態を示す説明図である。
【図１５】本発明の他の実施形態を示す回路説明図である。
【図１６】本発明の他の実施形態を示す説明図である。
【図１７】本発明の他の実施形態を示す回路説明図である。
【図１８】従来技術の回路説明図である。
【符号の説明】
【００４１】
２      ボビン  
４      パーティション        
６      パーティション
８      パーティション
１０    パーティション
１２    パーティション
１４    パーティション
１６    端子台
１８    端子台
２０    端子
２２    端子
２４    端子
２６    端子
２８    端子
３０    端子
３２    一次巻線
３４    遮蔽体
３９    二次巻線
４１    二次巻線
４２    コア
４４    巻線型トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
１００  トランス
１０２  ボビン
１０４  ボビン
１０６  穴
１０８  コア
１１０  一次巻線
１１２  分流トランス
１１４  巻線
１１６  巻線
１１８  分流トランス
１２０  分流トランス
１２２  巻線
１２４  巻線
１２６  接続点
１２８  接続点
１３０  コア
１３２  ボビン
１３４  絶縁材
１３６  二次巻線
１３８  絶縁材
１４０  二次巻線
１８４  ボビン
１８６  端子台
１８８  入力端子
１９０  入力端子
１９２  ボビン
１９４  ボビン
１９６  パーティション
１９８  二次巻線
２００  二次巻線
２０２  端子台
２０４  端子台
２０６  高圧端子
２０８  高圧端子
２１０  高圧端子
２１２  高圧端子
２１４  グランド端子
２１６  グランド端子
２１８  グランド端子
２２０  グランド端子
【手続補正３】
【補正対象書類名】図面
【補正対象項目名】図１９
【補正方法】削除
【補正の内容】